(57)【特許請求の範囲】
【請求項１】
臼歯又は犬歯を遠心移動させるための歯移動器具であって、
近心側端部から遠心側端部に向かって上顎の口蓋側の歯列に沿って延在する軌道部と、
前記軌道部に対してスライド可能に装着されるとともに、遠心移動させる前記臼歯又は前記犬歯に取り付けられる保持部材に連結するスライド部と、
前記スライド部よりも前記遠心側端部寄りにおいて前記軌道部に連結するとともに、上顎の口蓋側の顎骨に埋め込まれた第一埋入部材に対して取り付けられる固定部と、
一端部は前記スライド部に保持され、他端部は前記スライド部よりも前記遠心側端部寄りにおいて前記軌道部、前記固定部、又は顎骨に埋め込まれた第二埋入部材に保持されて、前記スライド部を当該遠心側端部に向けて付勢する弾性部と、を備える歯移動器具。
【請求項２】
臼歯又は犬歯を遠心移動させるための歯移動器具であって、
近心側端部から遠心側端部に向かって上顎又は下顎の頬側の歯列に沿って延在する軌道部と、
前記軌道部に対してスライド可能に装着されるとともに、遠心移動させる前記臼歯又は前記犬歯に取り付けられる保持部材に連結するスライド部と、
前記スライド部よりも前記遠心側端部寄りにおいて前記軌道部に連結するとともに、上顎又は下顎の頬側の顎骨に埋め込まれた第一埋入部材に対して、及び／又は、前記臼歯若しくは前記犬歯よりも前記遠心側端部寄りに位置する他の臼歯に対して取り付けられる固定部と、
一端部は前記スライド部に保持され、他端部は前記スライド部よりも前記遠心側端部寄りにおいて前記軌道部、前記固定部、又は顎骨に埋め込まれた第二埋入部材に保持されて、前記スライド部を当該遠心側端部に向けて付勢する弾性部と、を備える歯移動器具。
【発明の詳細な説明】
【技術分野】
【０００１】
本発明は、臼歯又は犬歯（小臼歯、大臼歯、又は犬歯、特には小臼歯又は犬歯）を遠心移動（奥歯側に移動）させるための歯移動器具に関する。
【背景技術】
【０００２】
従来、上顎の臼歯を遠心移動させることが可能な器具として、例えば下記の特許文献１の如き歯移動器具が知られている。
【０００３】
特許文献１に示された歯移動器具は、同文献の図１に示されるように、近心側端部４から遠心側端部５に向かって口蓋側の歯列に沿って延在する軌道部６と、軌道部６に対してスライド可能に装着されるとともに、上顎の臼歯に取り付けられる保持部材５１に係合するスライド部７と、スライド部７よりも近心側端部４寄りにおいて軌道部６に固定されるロック部８と、ロック部８とスライド部１２の間に介在してスライド部１２を遠心側端部に向けて付勢する弾性部９と、口蓋に埋め込まれた埋入部材５３（同文献の図２参照）に固定されるとともに遠心側端部５に連結する固定部２、３と、を備える。
【０００４】
このような歯移動器具によれば、ロック部８に支持された弾性部９によって上顎の臼歯に弾性力が作用するため、これを遠心移動させることができる。
【先行技術文献】
【非特許文献】
【０００５】
【特許文献１】特許第６５５７８８７号公報
【発明の概要】
【発明が解決しようとする課題】
【０００６】
ところで上記の歯移動器具は、遠心移動させる臼歯に対してロック部８を、軌道部６の近心側端部４寄りに取り付けて、ロック部８とスライド部１２の間に弾性部９を介在させる必要がある。すなわち、遠心側の臼歯（大臼歯）を遠心移動させる際は、軌道部６において近心側に十分な長さがあるものの、近心側の臼歯（小臼歯）を遠心移動させる場合は、軌道部６における近心側の長さに余裕がなくなることになる。特に、第一小臼歯を遠心移動させようとする場合は、軌道部６における近心側の長さが不足して、ロック部８や弾性部９の取り付けが難しいことがある。また上記の歯移動器具は、上顎の臼歯を遠心移動させるものであり、下顎の臼歯や犬歯を遠心移動させるには別の手段に頼らなければならないものの、特許文献１の歯移動器具の如き十分に効果を発揮できるものは未だ提案されていない状況にある。
【０００７】
このような点に鑑み、本発明では、特に第一小臼歯のように近心側に位置する臼歯や犬歯を遠心移動させる際に効果的であって、上顎だけでなく下顎の臼歯や犬歯を遠心移動させる場合にも応用することが可能な歯移動器具を提供することを目的とする。
【課題を解決するための手段】
【０００８】
本発明は、臼歯又は犬歯を遠心移動させるための歯移動器具であって、近心側端部から遠心側端部に向かって上顎の口蓋側の歯列に沿って延在する軌道部と、前記軌道部に対してスライド可能に装着されるとともに、遠心移動させる前記臼歯又は前記犬歯に取り付けられる保持部材に連結するスライド部と、前記スライド部よりも前記遠心側端部寄りにおいて前記軌道部に連結するとともに、上顎の口蓋側の顎骨に埋め込まれた第一埋入部材に対して取り付けられる固定部と、一端部は前記スライド部に保持され、他端部は前記スライド部よりも前記遠心側端部寄りにおいて前記軌道部、前記固定部、又は顎骨に埋め込まれた第二埋入部材に保持されて、前記スライド部を当該遠心側端部に向けて付勢する弾性部と、を備える。
【００１０】
また本発明は、臼歯又は犬歯を遠心移動させるための歯移動器具であって、近心側端部から遠心側端部に向かって上顎又は下顎の頬側の歯列に沿って延在する軌道部と、前記軌道部に対してスライド可能に装着されるとともに、遠心移動させる前記臼歯又は前記犬歯に取り付けられる保持部材に連結するスライド部と、前記スライド部よりも前記遠心側端部寄りにおいて前記軌道部に連結するとともに、上顎又は下顎の頬側の顎骨に埋め込まれた第一埋入部材に対して、及び／又は、前記臼歯若しくは前記犬歯よりも前記遠心側端部寄りに位置する他の臼歯に対して取り付けられる固定部と、一端部は前記スライド部に保持され、他端部は前記スライド部よりも前記遠心側端部寄りにおいて前記軌道部、前記固定部、又は顎骨に埋め込まれた第二埋入部材に保持されて、前記スライド部を当該遠心側端部に向けて付勢する弾性部と、を備える歯移動器具でもある。
【発明の効果】
【００１２】
本発明に係る歯移動器具では、従来の歯移動器具のように、軌道部に対してロック部を、遠心移動させる臼歯よりも近心側端部寄りに取り付ける必要がない。このため、第一小臼歯のように近心側に位置する臼歯や犬歯を遠心移動させる場合にも何ら支障なく使用することができる。また、軌道部に連結してこれを歯列に沿う所定の位置に固定する固定部は、顎骨に埋め込まれた第一埋入部材に取り付けてもよいし、遠心移動させる臼歯や犬歯よりも遠心側端部寄りに位置する他の臼歯に取り付けてもよいため、上顎だけでなく下顎の臼歯や犬歯を遠心移動させる場合にも適用することが可能である。また、臼歯等の歯根に近い部位に弾性力を付与しやすいため、臼歯等を根ごと遠心移動させることができ、臼歯等が斜めになりにくいという効果も得られる。
【図面の簡単な説明】
【００１３】
【図１】本発明に係る歯移動器具の第一実施形態を概略的に示した図である。
【図２】スライド部における弾性部を保持する部位を概略的に示した図である。
【図３】固定部（第一固定部）における弾性部を保持する部位を概略的に示した図である。
【図４】本発明に係る歯移動器具の第二実施形態を概略的に示した図である。
【図５】固定部（第三固定部）における弾性部を保持する部位を概略的に示した図である。
【発明を実施するための形態】
【００１４】
以下、本発明に係る歯移動器具の一例について、図面を参照しながら説明する。なお、以下の説明における各部材の素材や形状、構成、製造に関する工法等は一例に過ぎず、本発明と同様の効果が得られるものに適宜変更可能である。すなわち、例えば以下の説明において金属製であるとしたものを他の素材（合成樹脂等）に変更しても本発明に含まれる。
【００１５】
図１は、歯移動器具の第一実施形態に関し、これを患者の上顎に取り付けた状態で示した図であって、上顎の口蓋に向かって正対した視点で示している。図１において符合を付した歯は、上顎右側犬歯ＵＲ３、上顎右側第一小臼歯ＵＲ４、上顎右側第二小臼歯ＵＲ５、上顎右側第一大臼歯ＵＲ６、上顎右側第二大臼歯ＵＲ７、及び上顎左側第一大臼歯ＵＬ６である。また図１では、上顎右側第一小臼歯ＵＲ４を遠心移動させる状態を示していて、上顎右側第二小臼歯ＵＲ５は抜歯している。
【００１６】
本実施形態の歯移動器具１を説明するにあたり、まず保持部材５１とアンカースクリュー（本明細書等における「第一埋入部材」に相当）について説明する。
【００１７】
保持部材５１は、遠心移動させる臼歯や犬歯に取り付けられるものである。本実施形態の保持部材５１は、金属製のプレート部５２と金属製のワイヤ部５３とを一体的に連結させたものである。プレート部５２とワイヤ部５３を連結するにあたっては、例えば両者を溶接してもよいし、カシメによって連結させてもよい。また３Ｄプリンタ等を利用して、後述するスライド部１３とともにプレート部５２とワイヤ部５３を当初から一体的に形成してもよい。なお、３Ｄプリンタの造形方式は、以下での説明も含めて特段限定されるものではなく、例えば粉末焼結積層造形方式（レーザー・シンタリング）でもよいし、光造形方式でもよいし、インクジェット方式でもよい。またプレート部５２に筒状となる部位を設け、この部位にワイヤ部５３を引っ掛けるようにしてもよい。このような保持部材５１は、接着剤を使用して、プレート部５２を上顎右側第一小臼歯ＵＲ４の口蓋側に固着させることによって取り付けられている。なお、保持部材５１の形態はこれに限られるものではなく、例えばプレート部５２に替えて、遠心移動させる臼歯等の周囲を取り囲むバンド状の部材を使用してもよい。
【００１８】
アンカースクリューは、顎骨に埋め込まれる部材である。図１においてアンカースクリューは、口蓋の正中前方部に埋入されて不図示であるが、特許文献１の図２において符合５３を付して示した部材と同様に、概略雄ねじ状に形成されている。なお、アンカースクリューの頭部には雌ねじ部が設けられていて、この雌ねじ部には、図１に示した低頭の固定ねじ５４が取り付けられる。また本実施形態のアンカースクリューは、合計２本使用されているが、これに限らず、１本でもよいし３本以上でもよい。
【００１９】
次に本実施形態の歯移動器具１について説明する。本実施形態の歯移動器具１は、固定ねじ５４を締め付けることによってアンカースクリューに拘束される固定部（第一固定部）２を備えている。本実施形態の第一固定部２は、金属製のプレートによって形成されるものであって、近心側には、埋設された２本のアンカースクリューに対応する位置に不図示の孔が２つ設けられ、遠心側は二股に分かれている。そして、近心側の２つの孔に固定ねじ５４を挿通させてアンカースクリューに対して締め付けることによって、第一固定部２を口蓋に固定することができる。また第一固定部２の遠心側には、図３（ａ）に示すようにＬ字状になるフック部３が設けられている。
【００２０】
また歯移動器具１は、近心側端部４から遠心側端部５に向かって口蓋側の歯列に沿って延在する棒状の軌道部６を備えている。本実施形態の軌道部６は、左右に一対設けられていて、それぞれの遠心側端部５が、二股に分かれた第一固定部２の左右の端部に連結している。なお本実施形態の軌道部６は、横断面形状が円形になる金属製のワイヤによって形成されるものであり、これを第一固定部２に溶接することによって両者を一体化させている。本実施形態では、直径が０．７〜１．５ｍｍ程度のワイヤを使用している。なお、軌道部６として使用するワイヤは、特段種類を問わず採用可能であって、例えば横断面形状が多角形状や楕円状になるものでもよい。また中実状になるものに限られず、中空状になるものを採用してもよい。また、例えば３Ｄプリンタによって第一固定部２と軌道部６を当初から一体的に形成してもよく、これらを形成する手段は適宜変更可能である。
【００２１】
軌道部６における遠心側端部５の近傍には、第一固定部２とは別異の固定部（第二固定部）７が設けられている。本実施形態の第二固定部７は、上顎右側第一大臼歯ＵＲ６に対してその周囲を取り囲むようにして取り付けられる金属製のバンド状部分８と、金属製ワイヤによって形成され、バンド状部分８に対して口蓋側で連結する連結部分９とを備えている。また連結部分９は、円筒状をなしていて軌道部６に挿通される円筒状部分１０に連結している。そして円筒状部分１０の近心側には、ねじ１１を締め込むことによって軌道部６に固定される固定部分１２が設けられている。上顎右側第二小臼歯ＵＲ５を抜歯すると上顎右側第一大臼歯ＵＲ６が近心側に移動しやすくなるため、上顎右側第一小臼歯ＵＲ４の遠心移動の妨げになるおそれがあるが、上顎右側第一大臼歯ＵＲ６に取り付けられたバンド状部分８は、連結部分９を介して円筒状部分１０に連結しており、円筒状部分１０は固定部分１２によって近心側への移動が阻止されているため、上顎右側第一大臼歯ＵＲ６の近心側への移動を抑制することができる。なお、バンド状部分８に替えて、例えば上顎右側第一大臼歯ＵＲ６に接着剤を使用して固定されるプレート状のものを使用してもよいし、例えば３Ｄプリンタによってバンド状部分８、連結部分９、及び円筒状部分１０を当初から一体的に形成してもよい。なお、本実施形態の円筒状部分１０と固定部分１２は別異の部材であるが、これらを一体化（例えば別異に形成したものを溶接する、３Ｄプリンタによって当初から一体化する等）してもよい。このように円筒状部分１０と固定部分１２を一体化することによって、軌道部６は第一固定部２に加えて第二固定部７によっても保持されるため、軌道部６を所望の位置により確実に保持しておくことができる。また、第二固定部７は、プレートで形成された剛性の高い第一固定部２に支持されるため、上顎右側第一大臼歯ＵＲ６が頬側や口蓋側に傾く状態にある場合にこれを矯正するために利用することも可能である。
【００２２】
そして軌道部６における近心側端部４の近傍には、円筒状をなすスライド部１３がスライド可能に装着される。本実施形態のスライド部１３は、上述したワイヤ部５３の端部に溶接されていて、保持部材５１と一体化している。
【００２３】
更に歯移動器具１は、スライド部１３を遠心側端部５に向けて付勢するコイルスプリング（弾性部）１４を備えている。本実施形態のコイルスプリング１４は、その両端部が円弧状に湾曲している。そしてコイルスプリング１４の一端部は、図３（ａ）に示すようにフック部３に引っ掛けられている。またコイルスプリング１４の他端部は、コイルスプリング１４を引き延ばした状態で、図２に示すようにワイヤ部５３に引っ掛けられている。図示は省略するが、スライド部１３に対してフック部（後述する図３（ｂ）に示す如きフック部１５）を設け、このフック部にコイルスプリング１４の他端部を引っ掛けるようにしてもよい。なお、コイルスプリング１４における両端部の形状は図示した如き円弧状に湾曲するものに限られず、例えば輪状になるものでもよい。
【００２４】
このような構成になる本実施形態の歯移動器具１によれば、コイルスプリング１４によって、スライド部１３が軌道部６に案内されつつ遠心側端部５に向かって付勢される際、保持部材５１を装着した上顎右側第一小臼歯ＵＲ４にもコイルスプリング１４の力が作用するため、軌道部６が延在する向きに沿って、上顎右側第一小臼歯ＵＲ４を遠心移動させることができる。また図１に示したように軌道部６の近心側端部４付近に設けられているのはスライド部１３のみであって、軌道部６は近心側端部４付近において長さに余裕がある。このため、例えば治療においてスライド部１３を近心側端部４側に移動させる必要が生じても、軌道部６を作り替えることなく対応することができる。また、軌道部６の近心側端部４付近に長さの余裕があるため、上顎右側第一小臼歯ＵＲ４よりも近心側に位置する上顎右側犬歯ＵＲ３であっても、支障なく遠心移動させることができる。
【００２５】
なお、コイルスプリング１４を取り付ける構造は適宜変更可能であって、例えば図１、図３（ａ）に示したフック部３に替えて、図３（ｂ）に示したＪ字状のフック部１５を設け、このフック部１５にコイルスプリング１４の端部を引っ掛けるようにしてもよい。なお、図示したフック部１５は、第一固定部２から近心側に向けて突出するような形態をなすものであるが、遠心側に向けて突出するような形態をなすものでもよいし、歯列に向けて側方に突出するような形態をなすものでもよい。また、図３（ｂ）に示すように、円筒状部分１０の遠心側に固定部分１２を追加し、ねじ１１を締め込んでこの固定部分１２を軌道部６に固定する際に、コイルスプリング１４の端部をねじ１１と固定部分１２で挟み込むようにしてもよい。また、コイルスプリング１４の端部に別異の線材を巻き付けて固定し（カシメにより固定してもよい）、この線材を固定部分１２の周囲に巻き付けて固定するようにしてもよい。なおこの際は、固定部分１２の周囲に溝を設け、この溝に線材を巻き付けるようにしてもよい。また、例えば軌道部６の遠心側端部５付近における口蓋にアンカースクリュー（本明細書等における「第二埋入部材」に相当）を埋入させ、このアンカースクリューを利用してコイルスプリング１４の端部を保持するようにしてもよい。
【００２６】
また図１に示した歯移動器具１は、二股に分かれた第一固定部２を使用しているが、片側（遠心移動させる臼歯や犬歯が位置する側）だけの第一固定部２を使用してもよい。本実施形態の第二固定部７は、上顎右側第一大臼歯ＵＲ６と上顎左側第一大臼歯ＵＬ６に取り付けたが、片側を別の臼歯に取り付ける（例えば上顎右側第二大臼歯ＵＲ７と上顎左側第一大臼歯ＵＬ６に取り付ける）ようにしてもよいし、何れか一方のみに取り付けてもよい。また、軌道部６を安定的に保持するには、本実施形態のように第一固定部２と第二固定部７を併用することが好ましいが、何れか一方だけでもよい。
【００２７】
次に、図４を参照しながら本発明に係る歯移動器具の第二実施形態について説明する。図４は、患者の下顎に取り付けた歯移動器具２１について示している。図４において符合を付した歯は、下顎右側犬歯ＬＲ３、下顎右側第一小臼歯ＬＲ４、下顎右側第二小臼歯ＬＲ５、下顎右側第一大臼歯ＬＲ６、下顎右側第二大臼歯ＬＲ７、下顎右側第三大臼歯ＬＲ８、下顎左側第一大臼歯ＬＬ６、及び下顎左側第二大臼歯ＬＬ７である。また図４では、下顎右側第一小臼歯ＬＲ４を遠心移動させる状態を示していて、下顎右側第二小臼歯ＬＲ５は抜歯している。
【００２８】
図４に示すように、遠心移動させる下顎右側第一小臼歯ＬＲ４には、保持部材６１が取り付けられている。本実施形態の保持部材６１は、金属製のプレート部６２と金属製のワイヤ部６３とを一体的に連結させたものである。なお、ワイヤ部６３は後述するスライド部３０と一体に連結していて、製造時においては、プレート部６２、ワイヤ部６３、スライド部３０を一体的に形成している。このような保持部材６１は、接着剤を使用して、プレート部６２を下顎右側第一小臼歯ＬＲ４の頬側に固着させることによって取り付けられている。
【００２９】
また、図４に示すように下顎右側第一大臼歯ＬＲ６と下顎右側第二大臼歯ＬＲ７との間の下方には、下顎の顎骨に対して頬側に埋入され、低頭の固定ねじ６４を取り付け可能な不図示のアンカースクリュー（本明細書等における「第二埋入部材」に相当）が埋入されている。なおアンカースクリューは、図示した位置以外の部位に設けても（例えば下顎右側第二大臼歯ＬＲ７と下顎右側第三大臼歯ＬＲ８の間に設けても）よい。
【００３０】
そして歯移動器具２１は、本実施形態では下顎右側第一大臼歯ＬＲ６と下顎右側第二大臼歯ＬＲ７、及び下顎左側第一大臼歯ＬＬ６と下顎左側第二大臼歯ＬＬ７に取り付けられる固定部（第三固定部）２２を備えている。第三固定部２２は、金属製のプレートによって形成されるものであって、下顎右側第一大臼歯ＬＲ６（下顎左側第一大臼歯ＬＬ６）に対してその周囲を取り囲むようにして取り付けられる環状部分２３と、環状部分２３に一体に連結するとともに下顎右側第二大臼歯ＬＲ７（下顎左側第二大臼歯ＬＬ７）の舌側を延在する延出部分２４とを備えている。また２つの環状部分２３は、それらの近心側において、金属製のワイヤによって形成されるとともに舌側の歯列にそって延在する略Ｕ字状の連結ワイヤ部分２５によって一体化している。そして下顎右側第一大臼歯ＬＲ６に取り付けられた環状部分２３には、頬側において、後述する軌道部２９と一体に連結する連結プレート部分２６が設けられている。
【００３１】
また歯移動器具２１は、近心側端部２７から遠心側端部２８に向かって頬側の歯列に沿って延在する棒状の軌道部２９を備えている。本実施形態の軌道部２９は、横断面形状が円形になる金属製のワイヤによって形成されている。また軌道部２９は、例えば溶接によって連結プレート部分２６に対して連結していて、第三固定部２２によって保持されている。なお、連結プレート部分２６を省略して、軌道部２９を第三固定部２２に直接連結させてもよい。本実施形態の軌道部２９は、直径が０．７〜１．５ｍｍ程度のワイヤを使用している。なお、軌道部２９として使用するワイヤは、特段種類を問わず採用可能であって、例えば横断面形状が多角形状や楕円状になるものでもよい。また中実状になるものに限られず、中空状になるものを採用してもよい。また、例えば３Ｄプリンタによって第三固定部２２（環状部分２３、延出部分２４）、連結ワイヤ部分２５、連結プレート部分２６、及び軌道部２９を当初から一体的に形成してもよく（これらを全て一体化してもよいし、幾つかを部分的に一体化してもよい）、これらを形成する手段は適宜変更可能である。
【００３２】
そして軌道部２９における近心側端部２７の近傍には、円筒状をなすスライド部３０がスライド可能に装着される。本実施形態のスライド部３０は、上述したワイヤ部６３の端部に溶接されていて、保持部材６１と一体化している。
【００３３】
更に歯移動器具２１は、スライド部３０を遠心側端部２８に向けて付勢するコイルスプリング（弾性部）３１を備えている。図２、図３（ａ）に示したコイルスプリング１４と同様に、本実施形態のコイルスプリング３１の両端部も円弧状に湾曲している。そしてコイルスプリング３１の一端部は、下顎右側第一大臼歯ＬＲ６と下顎右側第二大臼歯ＬＲ７との間に埋入したアンカースクリュー（不図示）に対し、固定ねじ６４によって取り付けられている。またコイルスプリング３１の他端部は、コイルスプリング３１を引き延ばした状態でワイヤ部６３に引っ掛けられている。
【００３４】
本実施形態の歯移動器具２１によれば、コイルスプリング３１の付勢力が、スライド部３０と保持部材６１を介して下顎右側第一小臼歯ＬＲ４に作用するため、軌道部２９が延在する向きに沿って、下顎右側第一小臼歯ＬＲ４を遠心移動させることができる。また本実施形態の歯移動器具２１においても、軌道部２９の近心側端部２７付近に設けられているのはスライド部３０のみであって、軌道部２９は近心側端部２７付近において長さに余裕がある。このため、スライド部３０を近心側端部２７側に移動させる必要が生じても、軌道部２９を作り替えることなく対応することができる。また、軌道部２９の近心側端部２７付近に長さの余裕があるため、下顎右側犬歯ＬＲ３を遠心移動させる際も支障がない。
【００３５】
本実施形態の歯移動器具２１においても、その機能を満たすようにして適宜変更することが可能である。例えば、コイルスプリング３１を取り付けるにあたっては、上述したアンカースクリューに替えて、図５（ａ）に示すように軌道部２９の遠心側端部２８に引っ掛けるようにしてもよい。また第三固定部２２も適宜変更が可能であって、例えば図５（ｂ）に示すように連結プレート部分２６の形状を変更し、更にこの連結プレート部分２６が位置する部位において下顎の顎骨の頬側にアンカースクリューを埋入し、固定ねじ６４を使って連結プレート部分２６をアンカースクリューに固定してもよい。またこの場合は、コイルスプリング３１の端部を長めに折り返した形状にしておき、この端部を連結プレート部分２６に引っ掛けるようにしてコイルスプリング３１を保持してもよい。更に、連結プレート部分２６や軌道部２９に対してフック部（図３（ｂ）に示す如きフック部１５）を設け、このフック部を利用してコイルスプリング３１を保持してもよい。なお、軌道部２９を所定の位置で保持するに当たっては、第三固定部２２を利用せず、上述した下顎の顎骨の頬側に埋入されたアンカースクリューのみを利用するものでもよい。
【００３６】
なお、図４に示した歯移動器具２１は、軌道部２９が頬側の歯列に沿って延在するものであったが、例えば連結ワイヤ部分２５を軌道部２９として用いることで、軌道部２９が舌側の歯列に沿って延在するように構成することも可能である。また、図４に示した軌道部２９の如き形態になるものを、舌側の歯列に沿って延在させてもよい。なお、軌道部２９を舌側の歯列に沿って延在させる場合においては、下顎左側第一大臼歯ＬＬ６等に取り付けられた第三固定部２２を利用してこれを保持するようにしてもよいし、下顎の顎骨の舌側に埋入されたアンカースクリューを利用してもよい。また歯移動器具２１は、軌道部２９が上顎の歯列に沿って延在するように（口蓋側でも頬側でもよい）構成することによって、上顎の臼歯や犬歯を遠心移動させる場合にも使用することが可能である。
【００３７】
以上、本発明の一実施形態について説明したが、本発明はかかる特定の実施形態に限定されるものではなく、上記の説明で特に限定しない限り、特許請求の範囲に記載された本発明の趣旨の範囲内において、種々の変形・変更が可能である。また、上記の実施形態における効果は、本発明から生じる効果を例示したに過ぎず、本発明による効果が上記の効果に限定されることを意味するものではない。
【符号の説明】
【００３８】
１：歯移動器具
２：第一固定部（固定部）
４：近心側端部
５：遠心側端部
６：軌道部
７：第二固定部（固定部）
１３：スライド部
１４：コイルスプリング（弾性部）
２１：歯移動器具
２２：第三固定部（固定部）
２７：近心側端部
２８：遠心側端部
２９：軌道部
３０：スライド部
３１：コイルスプリング（弾性部）
５１：保持部材
６１：保持部材
【要約】
【課題】臼歯や犬歯を遠心移動させる際に効果的であって、上顎だけでなく下顎の臼歯や犬歯を遠心移動させる場合にも応用することが可能な歯移動器具を提供する。
【解決手段】本発明の歯移動器具１は、歯列に沿って延在する軌道部６と、軌道部６に対してスライド可能に装着され遠心移動させる臼歯又は犬歯に取り付けられる保持部材５１に連結するスライド部１３と、スライド部１３よりも遠心側端部寄りにおいて軌道部６に連結して顎骨に埋め込まれた第一埋入部材等に対して取り付けられる固定部２と、一端部はスライド部１３に保持され、他端部はスライド部１３よりも遠心側端部寄りにおいて軌道部６、固定部２、又は顎骨に埋め込まれた第二埋入部材に保持されて、スライド部１３を遠心側端部５に向けて付勢する弾性部１４と、を備える。
【選択図】図１【図１】
0006774693.tif 000002
【図２】
0006774693.tif 000003
【図３】
0006774693.tif 000004
【図４】
0006774693.tif 000005
【図５】
0006774693.tif 000006